(57)【要約】【課題】地震発生時などにおいても家具等が容易に倒れないようにする家具転倒防止具に関するものであり、プライベート空間などに設置するパネルで囲った仕切り部屋で、屋内仕切り空間を自立させることができるパネル構造体と家具を、支える支え具を提供する。【解決手段】住空間およびオフィス空間を、全体的、或いは部分的に家具、又はパネル材によって覆った家具―パネル構造体において、地震に対しての対策と所望のプライベート空間を得る間仕切りパーテション設置のために、前記家具―パネル構造体を支える長さ２〜４ｍで木材と金属からなる調節可能な支え棒と、当該支え棒と家具に対面する壁面に取り付けた支持パネル板と、からなっている支え具付き家具―パネル構造体である。【選択図】図１
2017070687.tif 000002
【特許請求の範囲】
【請求項１】
居住や人が滞在可能な空間を、全体的、或いは部分的に家具、又はパネル材によって覆った家具―パネル構造体において、地震に対しての対策と所望のプライベート空間を得る間仕切りパーテション設置のために、前記家具―パネル構造体を上方で支える長さ調節可能な支え棒と、当該支え棒と家具の対面側に取り付けた支持パネル板と、からなっていることを特徴とする支え具付き家具−パネル構造体。
【請求項２】
家具転倒防止及び固定機能と間仕切り機能を有するために、家具を支える長さ１〜４ｍの範囲で調節可能な支え棒は、伸縮を可能な部分を持つ、太さとして直径５０〜１５０ｍｍの丸棒状物、又は縦５０〜１００ｍｍ、横５０〜１００ｍｍの角材状物、又は上面と下面に厚さ３０〜５０ｍｍ木材板して中間部に厚さ２〜５ｍｍ、幅５０〜１００ｍｍの鉄板材挟んだ支柱、を使用して、下面にスチール製、またはアルミニウム製のカーテンレールおよびロールスクリーン、又は幅２０〜５０ｍｍ、厚さ２〜５ｍｍのＬ字金属長板、又はＬＥＤ照明固定盤を取り付けて、全体として１〜６箇所に調節可能な支え棒を取り付けることができるようにして、前記支え棒の取り付け部所にパーテション体を設置していることを特徴とする請求項１に記載の支え具付き家具−パネル構造体。
【請求項３】
家具、又は家具―パネル構造体に対面する壁面に取り付けた支持パネル板は、木材の合板、又はフラッシュパネル板であって、厚さ２０〜５０ｍｍであって、高さを家具の高さ以上であって、１８００〜２６００ｍｍで、幅を対面に沿って３００〜１２５０ｍｍで壁面に接して固定されていることを特徴とする請求項１、又は請求項２に記載の支え具付き家具−パネル構造体。
【請求項４】
家具、又は家具―パネル構造体において、一定の寸法の数枚のパネル材と特殊接続金具とを使用して簡単に脱着可能に組み立てられ、前記パネルで囲った区分部屋を覆う、枠体と外板により構成されているパネル材として、フラッシュ材、ＭＤＦ材、無垢材、積層材、化粧パネル材の厚さ２０〜６０ｍｍであって、高さ１８００〜２６００ｍｍの範囲で、横幅の種類として３〜５種類にして、基本サイズとして１００ｍｍ〜１２５０ｍｍのサイズにしたパネル構造体にして、その周囲の１面〜４面に接地した家具と家具―パネル構造体とを調節可能な支え棒で支えられるようにしていることを特徴とする請求項１〜請求項３のいずれかに記載の支え具付き家具−パネル構造体。
【請求項５】
軽量、保温性の優れた家具、及び家具―パネル構造体において、前記家具類を安定に設置し、転倒性、保温性と防音性とを高め、プライベートを維持できる空間を作り、有効なＬＥＤ照明器具を固定できるようにし、家具、又は家具―パネル構造体と支持パネルを連結できる支え棒を、有効に保持できる箇所で、１〜６箇所位置に接地できることを特徴とする請求項１〜請求項５のいずれかに支え具付き家具−パネル構造体。
【発明の詳細な説明】
【技術分野】
【０００１】本発明は、住空間およびオフィス空間を、子供部屋、部屋の間仕切り、プライベート空間などに設置するパネル材で囲った仕切り部屋で、屋内仕切り空間を自立させることができるパネル構造体、及び又は家具―パネル構造体で、間仕切り効果とともに、強い地震が発生した際にも容易に倒れないようにした家具、並びにパネル構造体の支え具に関するものである。
【背景技術】
【０００２】日本は地震が多く発生する国であり、従来から様々な地震対策手段が考案され講じられてきた。部屋の中に設置される家具については、家具等の頂部ないし上面と部屋の天井面との間に突っ張らせるようにして支柱部材を配することにより、家具の転倒を防止するようにしたものが以前から数多くある。このような従来の家具転倒防止具によれば、上述のような簡単な構成により、ある程度の耐震性を備えるようにすることができることが記載されている（特許文献１参照）。【０００３】従来、集合住宅は一組の夫婦とその子供といういわゆる核家族を標準世帯とした２ＤＫ〜３ＬＤＫの間取りのものが主流であった。これらの住宅は在来木軸工法で建てられたものがほとんどであり、多くの柱や間仕切壁によって住宅内がいくつかの空間に仕切られている。そのため各空間は自ずと使用形態が限定されるようになり、子供部屋などは子供が独立した後は全く使われないような状況にあることが多かった。【０００４】そのような中にあって、水回り設備の配置変更を可能にする手段として、共通の床パンを設置し、そこに全ての水回り設備を集約するという工法が開示されている（特許文献２参照）。この工法によれば元の場所に捉われずに水回り設備を配置できるようになるため、改修工事の際の空間設計の自由度が高まるという利点がある。【０００５】水回り設備と収納設備を集約させた水回り設備付き多機能家具であって、前記水回り設備は複数のパネルに囲まれた空間に配置され、前記収納設備は、前記パネルの外壁面に背面が対面するように配置された家具からなる水回り設備付き多機能家具が提案されている（特許文献３参照）。【０００６】一方住空間およびオフィス空間に水回り設備に限らず、子供部屋、部屋の間仕切り、プライベート空間などに設置するパネルで囲った仕切り部屋で、屋内仕切り空間を自立させることができる箱型パネル構造体が望まれている。また水回り設備付き多機能家具では、浴槽及び洗い場を有する浴室ユニットと、便器を有するトイレユニットとを備える水回り設備室と、その周囲に本棚、クロゼット、電気器具デッキ、収納具、食器棚、キッチンの家具を密着的に嵌着していることが難しく、水回り設備室の形状によって安定的に密着して置くことができていない。とくに家具類をイビツな配置になっているので、箱型パネル構造体の囲いが望まれている。【０００７】地震時などにおける家具の揺動を阻止し、家具の転倒防止を図ることを目的として、壁面に家具を固定して転倒防止を果たす家具の転倒防止具において、前記家具を壁面に固定する転倒防止具を設け、この転倒防止具を、壁面に取り付けられる家具固定バー部材と、この家具固定バー部材に対してスライド移動可能に取り付けられる移動子と、この移動子を前記家具固定バー部材の任意の位置に停止させるストッパ手段と、前記移動子と前記家具とを固定する固定手段とを備えていることが提案されている。（特許文献４参照）【０００８】地震において家具類を傷付けることなく転倒防止機能を発揮すると共に、地震時に家具類に転倒及び滑りが生じないようにして、地震時に家具類が動くのを効果的に防止できる家具の転倒滑り防止構造を提供するために、屋内の壁面に沿って設置される家具類の地震時における転倒及び滑りを防止するための転倒滑り防止構造であって、家具類には、索条体が当該家具類の前面部に沿って横方向に巻き付けられるように案内する索条体係着凹溝が、上部及び下部に設けられており、家具類１２の前面側から索条体を索条体係着凹溝によって案内させつつ巻き付け、索条体の両端部分を索条体係着金具を用いて壁面に取り付けられた係止レール部材１のスライド係止溝に係着することにより、索条体を介して家具類の上部及び下部を壁面から支持させて、家具類の転倒及び滑りを防止する方法が提案されている（特許文献５参照）。【０００９】地震発生において家具の転倒防止が壁面より容易に出来なく、家具の移動により壁、木版に傷が付いてしまっていたが、壁に物をかけることが出来なかった。容易に家具等の転倒防止を図ることができ、地震時の災害を少なくすることができ、また、壁に傷をつけることなくものを掛けたり、つるすことが出来る家具の耐震方法が提案されている（特許文献６参照）。【００１０】部屋の独立性を保持して、住宅の間取りの変更、模様替えが容易に行えるようにする場合に、天井面と床面との間に脱着自在に設置する自在間仕切りであって、間仕切りの外面を構成する一対の表面材を所定間隔をあけて支持し、該表面材の上縁に、前記天井面に係合する係止手段を設けるとともに、該表面材の下縁側に、該表面材を略全幅にわたって閉止する巾木を表面材の内面に沿って上下方向にスライド可能に装着し、間仕切りの下面から突出するボルトの延出長さを調節して間仕切りの天地方向の高さを調節するとともに、間仕切り設置時には前記巾木が自重により床面に当接して前記ボルトが巾木により遮蔽される高さ調節機構を設けたものが提案されている（特許文献７参照）。【００１１】家具の転倒防止具がそれと気が付かない程見映えよく行え、しかも家具は勿論、壁面や天井面を傷つけるこがとない収納ボックスセットを提供することを課題として、対向する壁面にその側面板を当接させて立設させる一対の収納ボックスと、収納ボックスの対向面を突っ張り固定する突っ張り棒とで構成され、突っ張り棒の上方にて一対の収納ボックス間に架設された枕棚板と、枕棚板から垂設され、突っ張り棒を支持する支持ブラケットとで構成された収納ボックスセットが提案されている（特許文献８参照）。【００１２】以上のように、家具の耐震方法、或は家具の突棒は提案されるが、これらの目的に合わせて、間仕切り、或は部屋の装飾効果をもたらされるものは存在していない。
【先行技術文献】
【特許文献】
【００１３】
【特許文献１】実用新案登録第３０１５５１７号公報
【特許文献２】特開２０００−５４６６３号公報
【特許文献３】特開２０１１−４７２６１号公報
【特許文献４】特開２０１１−２３５００１号公報
【特許文献５】特開２０１１−５１９４号公報
【特許文献６】特開２００８−６２４８号公報
【特許文献７】特開２００１−１４０３８８号公報
【特許文献８】特開２０１３−７６２８３号公報
【発明の概要】
【発明が解決しようとする課題】
【００１４】本発明では、住空間およびオフィス空間を、子供部屋、部屋の間仕切り、プライベート空間などに設置するパネルで囲った仕切り部屋で、屋内仕切り区間を自立させることができるパネル構造体が、既存の旧態化した住居を世帯形態の変化やライフスタイルの多様化に柔軟に対応できる住空間としてオープンスペースを仕切り空間部屋にして再生させるとともに、優良な建築ストック、自立した空間部屋として活用できるとともに、家具の耐震性を高めること、プライベートを高めることが重要になっている。これらを解決すべき課題としている。【００１５】住宅において、可能な限り柱や間仕切壁を取り除き、間取りが固定化されないオープンスペースとすることが理想的である。しかしこれらについても元の位置に分散させたままというのではなく、機能を集約させるなどの手立てによりオープンスペースの利点が十分に生かされるようにして、オープンスペースの内部に容易に仕切り空間をもつことが期待されている。【００１６】住空間で、家具の使い勝手を低下させることなく、自立した空間部屋を合わせて、省かれたスペースを住居内の他の用途に振り向けて居住スペースを拡大することができる独立的設備室と家具の設置において、家具類を密着、整列させることができるパネル構造体を提供することを目的とするものである。新しいライフスタイルに適合した、プライベート尊重できる自由度をもたらす区切り空間を設けることと、耐地震対策として家具の保全とを有効に設置できる空間における部材を提供することにある。【００１７】また住空間およびオフィス空間に、プライベート空間などに設置するパネルで囲った仕切り部屋を、屋内仕切り自立させることができるパネル構造体と、そのパネル材と接合具を提案するものであり、特にパネル構造体周辺に設置された家具おける、家具類を安定に、しかも家具同志を密着にして、隙間のないようにして整列した家具類にできるようにパネル構造体でのパネル材の囲いとその接合方法、器具を設置しているが、まだ家具―パネル構造体の耐震性に対しては不安ももたらされている。また家具の耐震方法、或は家具の突い棒は提案されるが、これらの目的に合わせて、間仕切り、或は部屋の装飾効果をもたらされていない。【００１８】またワンルームの大部屋にした場合は、調度品やカーテン等で仕切ったとしても隔離した部屋にはならないという問題があり、また、壁材を取り外し可能に取り付ける方法の場合は、各部屋の独立性は十分に保たれるものの、壁材の取り外しのために、相当の工事となってしまうという問題があった。本発明はこのような住宅における間取りを変更したり、部屋の模様替えを容易に可能にして、ライフスタイル、ライフサイクルに適合したインテリアデザインを可能にすることを目的としてなされたものであり、各部屋の独立性を十分に確保しつつ、また間取りの変更等が容易に可能な自在間仕切りも課題になっている。
【課題を解決するための手段】
【００１９】住空間およびオフィス空間を、全体的、或いは部分的にパネル材によって覆ったパネル構造体と、その構造体の周囲の一部面、あるいは全面に設置した家具類を設置した家具―パネル構造体において、地震に対しての対策と所望のプライベート空間を得る間仕切りパーテション設置のために、前記家具を支える長さ２〜４ｍで木材と金属からなる調節可能な支え棒と、当該支え棒と家具に対面する壁面に取り付けた支持パネル板と、からなっている支え具付き家具―パネル構造体である。【００２０】家具、又は家具―パネル構造体を支える長さ２〜４ｍの木材と金属からなっている調節可能な支え棒は、伸縮を可能な部分を持つ、太さとして直径５０〜１５０ｍｍの丸棒状物、又は縦５０〜１００ｍｍ、横５０〜１００ｍｍの角材状物、又は上面と下面に厚さ３０〜５０ｍｍ木材板して中間部に厚さ２〜５ｍｍ、幅５０〜１００ｍｍの鉄板材挟んだ支柱、を使用して、下面にスチール製、またはアルミニウム製のカーテンレール、又は幅２０〜５０ｍｍ、厚さ２〜５ｍｍのＬ字金属長板、又はＬＥＤ照明固定盤を取り付けている。また耐振性を増すために、調節可能な支え棒の二本間に、交差する太さ１〜５ｍｍの針金やワイヤーなどによるスジチガイ（筋交）を設けていることもできる。【００２１】家具、又は家具―パネル構造体に対面する壁面に取り付けた支持パネル板は、木材の合板、又はフラッシュパネル板であって、厚さ２０〜５０ｍｍであって、高さを家具の高さ以上であって、１８００〜２６００ｍｍで、幅を壁面に沿って３００〜１２５０ｍｍで、壁面に接して固定しており、前記支持パネル板に、鏡面、棚、本棚、用具掛けフックから選ばれた板面取り付け家具を取り付けていることもできる。また支持パネル板の側に家具を設置することも可能であり、家具―支持パネル板を形成することもできる。【００２２】パネル構造体において、一定の寸法の数枚のパネル材と特殊接続金具とを使用して簡単に脱着可能に組み立てられ、前記パネルで囲った区分部屋を覆う、枠体と外板により構成されているパネル材として、フラッシュ材、ＭＤＦ材、無垢材、積層材、化粧パネル材の厚さ２０〜６０ｍｍであって、高さ１８００〜２６００ｍｍの範囲で、横幅の種類として３〜５種類にして、基本サイズとして１００ｍｍ〜１２５０ｍｍのサイズにしたパネル構造体にして、その周囲の２面〜４面に接地した家具、または家具―パネル構造体とを調節可能な支え棒で支えられるようにしている。【００２３】前記パネル構造体で囲った仕切りした区分部屋において、その周囲の２〜４面に本棚、クロゼット、電気器具デッキ、収納具、食器棚、キッチンから選ばれた１種類、又は２種類以上のリビング、及びダイニングの生活家具を設置できるようになっており、前記パネルで囲った仕切り部屋の全体をパネル材によって覆い、その面ではパネル材が引き戸や開き戸になるような構造で、出入りを可能にした１〜４箇所の出入り口を設けて、開閉を可能に行える部屋になった家具―パネル構造体に、全体として１〜６箇所に調節可能な支え棒を取り付けることができるようにして、前記支え棒の取り付け部所にパーテッション体を設置して、耐震性の効果と間仕切り部屋になるようにしている。【００２４】軽量、保温性の優れたパネル構造体によって覆い、その周囲に本棚、クロゼット、電気器具デッキ、収納具、食器棚、キッチンから選ばれた１種類、又は２種類以上のリビング、及びダイニングの生活家具を密着的に嵌着している家具類の設置で、前記家具類を安定に設置すること、および、耐震性、保温性と防音性とを高めるために、不安定な家具の設置個所、及び、プライベートを維持できる空間の設置と、特殊作業に有効なＬＥＤ照明器具を固定できるようにし、給電はダクトレール及び電気ケーブルをパネルに契合することで通電するようにし、有効に保持できる箇所になっている１〜６箇所位置に調節可能な支え棒を接地できるようになっている。
【発明の効果】
【００２５】  以上のように、本発明に係る家具転倒防止具によれば、固定手段により家具、又は家具―パネル構造体を床面の所定位置に固定すると共に、突っ張り手段により家具の上面と部屋の天井面とを突っ張らせるようにしているので、地震が起こった際にも家具が床面を水平方向に滑ることがなく、よって突っ張り手段も脱落しない。それゆえ確実に家具の転倒を防止することができる。また、突っ張り手段についても家具の上面と部屋の天井面とを突っ張らせるだけなので、同様に着脱容易である。さらに、言うまでもなく、固定手段も突っ張り手段も、壁面に傷を付けることなく設置することが可能なものである。【００２６】住空間およびオフィス空間に、子供部屋、部屋の間仕切り、プライベート空間などに設置するパネルで囲った仕切り部屋を、屋内仕切り自立させることができるパネル構造体、又は家具―パネル構造体によって、簡単に、間仕切りができて、プライベートを保つことが可能になって、しかも安価に独立できる部屋がパネル体と接合具で短期化に製作できるようになった。【００２７】パネル構造体は、子供部屋、部屋の間仕切りに限らず、その構造体の周囲に本棚、クロゼット、電気器具デッキ、収納具、食器棚、キッチンの家具を密着的に嵌着している家具類を安定に設置を可能にすることが可能になって、この支え具の効果によって、これらが家具、什器の地震における倒転などが防げて、その部屋、設備で安全性を高められた。【００２８】屋内仕切り自立させたパネル構造体は、上記によってアパート、マンションなどの改築、或はワンルームにおいて、各機能の使い勝手を低下させることなく省スペース化を図り、省かれたスペースをルーム内の他の用途に振り向けて居住スペースを拡大することができる。パネル構造体、又は家具―パネル構造体によって新しいワンルーム式ライフスタイルに適合した家具設置用部材によって多機能家具を得ることができた。さらに独自にパネル構造体を部屋内に設置して、子供部屋、あるいはプライベート部屋にすることができた。
【図面の簡単な説明】
【００２９】
【図１】支え具付き家具―パネル構造体の平面図
【図２】支え具付き家具―パネル構造体の立面図
【図３】家具―パネル構造体を支える支え棒の図面
【図４】家具―パネル構造体に使用する金属製支え具の図
【図５】家具―パネル構造体に使用する木製支え具の図
【図６】家具―パネル構造体に使用する金属―木製支え具の図
【図７】支え具付きパネル構造体の立面図
【図８】支え具付きパネル構造体に使用する金属製支え具の図
【図９】支え具付きパネル構造体に使用する木製支え具の図
【図１０】支え具付きパネル構造体に使用する金属―木製支え具の図
【発明を実施するための形態】
【００３０】本発明の実施形態を添付した図面に基づいて説明する。
住空間およびオフィス空間に水回り設備に囲んだ、全体的、或いは部分的にパネル材によって覆った箱型パネル構造体と、その周囲の２面、あるいは３面に設置した家具類を設置した家具―箱型パネル構造体において、地震に対しての対策と所望のプライベート空間を得る間仕切りパーテション設置のために、前記家具を支える長さ１〜４ｍの範囲で調節可能な支え棒と、当該支え棒と家具に対面する壁面に取り付けた支持パネル板と、からなっているパネル構造体と支え具である。
【００３１】多機能家具は改修工事によって取り除かれた水回り設備、ダイニング設備およびリビング設備の各機能を全体的、部分的に集約させた、複数の機能を併せ持つ多機能の家具であり、住空間に設置されている。多機能家具は平面視して矩形の箱型構造物であり、側辺が住空間の側壁と平行となるような向きで設置されている。多機能家具の周囲の平面視してロ字型の空間は、リビングやベッドルーム、ダイニングルームなど居住者の望む用途に使用できる居住空間である。
【００３２】この空間は途中に間仕切りのない連続した空間であり、居住者の世帯形態やワンルームでライフスタイルに応じて自由にアレンジして使用することができる。このように多機能家具が設置された住空間は、用途が限定されない自由な空間を有する優良な建築ストックとなり得るものとして再生されている。
【実施例１】
【００３３】家具を支える長さ４ｍの木材と金属からなっている支え棒は上面と下面に厚さ５０ｍｍ木材板して中間部に厚さ３ｍｍ、幅５０ｍｍの鉄板材挟んだ支柱を使用して、下面にアルミニウム製のカーテンレールを取り付けた。【００３４】家具に対面する壁面に取り付けた支持パネル板は、高さ２０００ｍｍ、幅１０００ｍｍのフラッシュパネル板であって、厚さ３０ｍｍであって、高さを家具の高さ以上であって、２０００ｍｍで、幅を壁面に沿って壁面に接して固定した。【００３５】一つの仕切り部の存在しないフロアーにおいて、浴室ユニット、及びトイレユニット、及び洗面化粧台ユニットとから選ばれた３種類を備える水回り設備部屋を中心に、子供部屋、又はプライベート空間部屋、をパネルで囲った仕切り部屋に、一定の寸法の数枚のパネル材と特殊接続金具とを使用して簡単に脱着可能に組み立てられ、前記パネルで囲った仕切り部屋を覆った。枠体と外板により構成されているパネル材として、フラッシュ材の厚さ２０ｍｍであって、高さ２０００ｍｍの範囲で、横幅の種類として３種類にして、基本サイズとして９００ｍｍのサイズにした箱型パネル構造体に周囲の２面に接地した家具とを支えた。
【実施例２】
【００３６】家具を支える長さ３ｍの木材と金属からなっている支え棒は、太さとして縦９０ｍｍ、横９０ｍｍの角材、下面にスチール製厚さ３ｍｍのＬ字金属長板を取り付けた。【００３７】家具に対面する壁面に取り付けた支持パネル板は、フラッシュパネル板であって、厚さ２０ｍｍであって、高さを家具の高さ以上であって、２３００ｍｍで、幅を壁面に沿って９００ｍｍで、壁面に接して固定できた。【００３８】一つの仕切り部の存在しないフロアーにおいて、プライベート空間部屋、をパネルで囲った仕切り部屋に、一定の寸法の数枚のパネル材と特殊接続金具とを使用して簡単に脱着可能に組み立てられ、前記パネルで囲った仕切り部屋を覆う、枠体と外板により構成されているパネル材として、化粧パネル材の厚さ２０ｍｍであって、高さ２５００ｍｍの範囲で、横幅の種類として３種類にして、基本サイズとして９００ｍｍのサイズにした箱型パネル構造体に周囲の２面に接地した家具とを支えた。【００３９】収納部は独立した４体の収納家具で構成されている。これらの収納家具は、各背面が衛生設備ユニットの３方の側壁を構成するパネルの外壁面にそれぞれ対面するような向きで配置され、平面視してコ字型になるように配列された。収納家具は家具工場で製作されたものであり、住空間に搬入し、所定の位置に自立させるだけで設置は完了した。【００４０】収納家具は専門の家具職人が工場で製作したものを使用しているので、現場施工による収納設備に比べ特に品質とデザイン性において優れたものになっている。収納家具はそれぞれ単体でも使用可能であるため、転居の際には多機能家具から分離して持ち出すことも可能である。また収納家具は入れ替えが可能であるので、居住者の世帯形態や使用目的の変化に合わせて機能やサイズを自由に選択することもできる。
【実施例３】
【００４１】浴槽及び洗い場を有する浴室ユニットスペースと、便器を有するトイレユニットスペースと、上記浴室ユニットスペースと上記トイレユニットスペースとを中心位置に配置して、上記浴室ユニットスペース及び上記トイレユニットスペースの何れからも使用可能な洗面化粧台ユニットスペースとを備える衛生設備室と、その周囲に本棚、クロゼット、電気器具デッキ、収納具、食器棚、キッチンの家具を密着的に嵌着している家具類において、家具類を安定に設置すること、および保温性と防音性を高めるために、衛生設備室の全体をフラッシュパネル材によって覆い、当該フラッシュパネル材の各部材の接合に押し込み接合具を使用した。図５に示すように床に固定する場合には、屋内仕切り自立させた箱型パネル構造体の床と直角接合を行った。【００４２】衛生設備室の全体を覆う、枠体と外板により構成されているフラッシュパネル材は、厚さ３０ｍｍであって、高さ２３００ｍｍの範囲で、横幅の種類として３種類にして、基本サイズとして９００ｍｍ、４５０ｍｍ、３００ｍｍ、にして、各フラッシュパネル材の各端辺部の枠体に２００ｍｍ範囲の一定の間隔で押し込み接合具を挿入できる３０ｍｍの大きさの穴部を設けた。【００４３】前記浴室ユニットスペース及びトイレ・洗面ユニットスペースである前記衛生設備室を中心にして、トイレ・洗面ユニットスペース側に相面してキッチンと食器棚の家具を取り付け、浴室ユニットスペースの三面には、本棚、クロゼット、電気器具デッキ、収納具から選ばれた４種の家具を並べられるように、衛生設備室の全体をフラッシュパネル材によって覆い、トイレ・洗面ユニットスペース側の相対面に出入り口なるように、両面でフラッシュパネル材が引き戸になるような構造で開閉を可能に行えるように、吊車具とレールを付帯したフラッシュパネルを使用した。【００４４】フラッシュパネル材の接合に使用される押し込み接合具は、金属製、又は樹脂製であって、ピンの摺動によって各々のフラッシュパネル材の枠体で固定できるような構造になっている。
衛生設備室の全体をフラッシュパネル材によって覆ったフラッシュパネル部屋部は、大きさとして１６ｍ２であって、天井と出入り口の戸付きであって、３〜５種類の規格フラッシュパネル２５枚を使用して構成されている。
ワンルーム式ライフサイクル対応家具用部材が、衛生室を囲って、それに家具類を並べると、衛生室付き家具が整然と配列されて、一つの家具の形態を呈した。
【符号の説明】
【００４５】１  住空間及びオフィス空間
２  躯体壁
３  窓
４  ドア
６  天井
１１  家具
１２  支え具（支え棒）
１３  パネル構造体
２１  用具掛けフック
２２  鏡
２３  吊棚
２４  棚
２５  パーテション
３１  照明器具用ダクトレール
３２  照明器具（スポットライト）
３３  照明器具（ペンダントライト）
４１  支え棒ジョイント金具
４２  パネルのジョイント金具
４３  家具のジョイント金具
１０１  ＴＶ
１０２  伸長式金具
１０３  支え具
１０４  ジョイント金具
１０５  金属
１０６  工具
１０７  工具差込穴
１０８  伸長金具歯車
１０９  長さ調節固定金具
１１０  家具と支え具のジョイント金具
１１１  木材
１１２  金属角材状物
【図１】
2017070687.tif 000003
【図２】
2017070687.tif 000004
【図３】
2017070687.tif 000005
【図４】
2017070687.tif 000006
【図５】
2017070687.tif 000007
【図６】
2017070687.tif 000008
【図７】
2017070687.tif 000009
【図８】
2017070687.tif 000010
【図９】
2017070687.tif 000011
【図１０】
2017070687.tif 000012